(57)【要約】【課題】より単純な構造を有する注出具を提供する。【解決手段】ビール系飲料の抽出具１は、ビール系飲料缶８０の上端部に装着されるキャップ部１０と、該上端部に設けられた開口８２から連通する流路を形成するようにキャップ部１０から延びた注ぎ口２０と、注ぎ口２０の中に配置された板状部材３０とを備え、板状部材３０が粗面を有する。【選択図】図６
2020189661.tif 000002
【特許請求の範囲】
【請求項１】
ビール系飲料缶の上端部に装着されるキャップ部と、前記上端部に設けられた開口から連通する流路を形成するように前記キャップ部から延びた注ぎ口と、前記注ぎ口の中に配置された板状部材とを備え、前記板状部材が粗面を有する、
ことを特徴とする注出具。
【請求項２】
前記板状部材は、ビール系飲料を整流するように配置されている、
ことを特徴とする請求項１に記載の注出具。
【請求項３】
前記注ぎ口は、前記板状部材を保持するスロットを有し、前記板状部材は、前記スロットに挿入されている、
ことを特徴とする請求項１又は２に記載の注出具。
【請求項４】
前記板状部材は、前記スロットから引き抜き可能である、
ことを特徴とする請求項３に記載の注出具。
【請求項５】
前記注ぎ口は、前記キャップ部に連結された第１部分と、ヒンジによって前記第１部分に接続された第２部分とを有し、前記板状部材は、前記第２部分の中に配置されている、
ことを特徴とする請求項１乃至４のいずれか１項に記載の注出具。
【請求項６】
前記ヒンジは、前記キャップ部の天面の方向に前記第２部分が回動するように設けられている、
ことを特徴とする請求項５に記載の注出具。
【請求項７】
前記第２部分が回動した状態では、ビール系飲料が前記第２部分を通ることなく第１部分から注ぎ出される、
ことを特徴とする請求項６に記載の注出具。
【請求項８】
２以上の前記板状部材が前記注ぎ口の中に配置されている、
ことを特徴とする請求項１乃至７のいずれか１項に記載の注出具。
【請求項９】
前記２以上の前記板状部材が平行に配置されている、
ことを特徴とする請求項８に記載の注出具。
【請求項１０】
前記２以上の前記板状部材の間隔が１ｍｍ以上かつ５ｍｍ以下である、
ことを特徴とする請求項９に記載の注出具。
【請求項１１】
前記粗面の粗さ曲線要素の平均長さ（ＲＳｍ）が２０μｍ以上かつ５０μｍ以下である、
ことを特徴とする請求項１乃至１０のいずれか１項に記載の注出具。
【発明の詳細な説明】
【技術分野】
【０００１】
本発明は、ビール系飲料の注出具に関する。
【背景技術】
【０００２】
現在、家庭において利用可能な種々のビールサーバーが提供されているが、構造が複雑であるために、低価格で提供することが難しい上に、洗浄等の手入れ作業も面倒である。特許文献１には、比較的単純な構造を有する注出器が開示されている。特許文献１に開示された注出器は、ビール缶の上端に装着して使用されるタイプのものであり、本体部の一方の端部に取っ手部が設けられ、他方の端部に注ぎ口部が設けられている。注ぎ口部内には、注出流路に素焼きの陶器によって円柱状に形成された発泡ビーズが挿置されている。
【先行技術文献】
【特許文献】
【０００３】
【特許文献１】特開２００４−４３０３３号公報
【発明の概要】
【発明が解決しようとする課題】
【０００４】
特許文献１に記載された注出器は、ビール容器内に炭酸ガスまたは空気を強制的に送り込むことによってビールを押し出す方式に比べて遥かに単純な構造を有するが、素焼きの陶器で円柱状の発泡ビーズを製造するためには相応のコストが掛かるし、洗浄等の手入れ作業が難しい。
【０００５】
本発明は、より単純な構造を有する注出具を提供することを目的とする。
【課題を解決するための手段】
【０００６】
本発明の１つの側面は、ビール系飲料の注出具に係り、前記注出具は、ビール系飲料缶の上端部に装着されるキャップ部と、前記上端部に設けられた開口から連通する流路を形成するように前記キャップ部から延びた注ぎ口と、前記注ぎ口の中に配置された板状部材とを備え、前記板状部材が粗面を有する。
【発明の効果】
【０００７】
本発明によれば、より単純な構造を有する注出具が提供される。
【図面の簡単な説明】
【０００８】
【図１】一実施形態の注出具の構成を示す側面図。
【図２】一実施形態の注出具の構成を示す断面図。
【図３】第２部分を回動させた状態の一実施形態の注出具を示す側面図。
【図４】第２部分を回動させた状態の一実施形態の注出具を示す断面図。
【図５】ビール系飲料缶に装着された一実施形態の注出具を示す側面図。
【図６】ビール系飲料缶に装着された一実施形態の注出具を示す断面図。
【図７】一実施形態の注出具の使用例を示す図。
【図８】一実施形態の注出具の使用例を示す図。
【発明を実施するための形態】
【０００９】
以下、添付図面を参照して実施形態を詳しく説明する。尚、以下の実施形態は特許請求の範囲に係る発明を限定するものではなく、また、実施形態で説明されている特徴の組み合わせの全てが発明に必須のものとは限らない。実施形態で説明されている複数の特徴のうち二つ以上の特徴が任意に組み合わされてもよい。また、同一若しくは同様の構成には同一の参照番号を付し、重複した説明は省略する。
【００１０】
図１、図２は、本発明の一実施形態の注出具１の構成を示す側面図、断面図である。図５、図６は、本発明の一実施形態の注出具１をビール系飲料缶８０の上端部に装着した状態を示す側面図、断面図である。注出具１は、ビール系飲料缶８０の上端部に装着され、ビール系飲料をビール系飲料缶８０からグラス等の容器に注ぐために使用される。ビール系飲料は、ビール、発泡酒、第三のビール等を含みうる。注出具１は、ビール系飲料缶８０の上端部に装着されるキャップ部１０と、ビール系飲料缶８０の上端部に設けられた開口８２から連通する流路を形成するようにキャップ部１０から延びた注ぎ口２０と、注ぎ口２０の中に配置された１又は複数（２以上）の板状部材３０とを備えうる。
【００１１】
板状部材３０は、粗面を有しうる。粗面は、板状部材３０の複数の面のうち面積が最も大きい面（典型的には２つの面）に設けられうる。粗面は、ビール系飲料の細かな泡を形成するように機能しうる。板状部材３０に設けられる粗面の粗さ曲線要素の平均長さ（ＲＳｍ）は、例えば、２０μｍ以上かつ５０μｍ以下とすれば、泡の比率を高くすることができて好ましいが、これに限定されるものではない。粗面は、例えば、サンドブラスト加工によって形成されうる。板状部材３０のように平面状の面を有する部材は、サンドブラスト加工によって均一に粗面化するために有利であり、これはコストの低減に寄与しうる。
【００１２】
板状部材３０は、注ぎ口２０の中でビール系飲料を整流するように配置されうる。１つの例において、２以上の板状部材３０が互いに平行に配置されうる。注ぎ口２０の中を通るビール系飲料は、注ぎ口２０の中で１又は複数の板状部材３０によって整流されつつ粗面との接触によって発泡し、これにより細かな泡が形成されうる。整流作用は、荒い泡を生成しないために有利である。２以上の板状部材３０が設けられる場合、それらの間隔は、１ｍｍ以上かつ５ｍｍ以下であることが好ましい。
【００１３】
図２、図４に示されるように、注ぎ口２０は、板状部材３０を保持するスロット２９を有しうる。スロット２９は、挟持部２８に設けられた溝によって構成されうる。他の観点で表現すれば、板状部材３０は、挟持部２８によって挟持されうる。図４に示されるように、板状部材３０は、スロット２９に挿入可能かつスロット２９から引き抜き可能であること、即ち、挿脱可能であることが好ましい。板状部材３０をスロット２９から引き抜き可能にした構成は、注出具１の洗浄等の手入れ作業を容易にために効果的である。
【００１４】
注ぎ口２０は、キャップ部１０に連結された第１部分２１と、ヒンジ４０によって第１部分２１に接続された第２部分２２とを有してもよい。この場合、板状部材３０は、第２部分２２の中に配置されうる。ヒンジ４０は、図３に示されるように、キャップ部１０の天面１６の方向に第２部分２２が回動するように設けられうる。これは、図７に例示されるように、第２部分２２を回動させた状態でビール系飲料を注ぐことを可能にする。第２部分２２が回動した状態では、ビール系飲料が第２部分２２を通ることなく第１部分２１から注ぎ出される。第１部分２１および第２部分２１を通してビール系飲料を注ぐ場合には、図１、図２等に示されるように、第２部分２２が非回動状態にされる。この状態では、第２部分２２は、ラッチ部２５によってラッチ（固定）されうる。ラッチ部２５は、例えば、第１部分２１側の係合部と第２部分２２側の係合部とが係合する構成を有しうる。板状部材３０は、その端部が第２部分２２の開口端部からはみ出るように挟持部２８によって挟持されてもよく、この場合、板状部材３０をスロット２９から引き抜くことが容易となる。
【００１５】
注出具１は、例えば、キャップ部１０に空気穴１２を有しうる。ビール系飲料を注ぐときは、空気穴１２およびビール系飲料缶８０の開口８２を通して空気がビール系飲料缶８０の中に入りうる。注出具１は、ビール系飲料缶８０から注出具１を取り外す際に操作されうる取っ手１４を有してもよい。また、注出具１は、ビール系飲料缶８０にキャップ部１０が装着され固定された状態でキャップ部１０とビール系飲料缶８０との間にシールを形成するシール部材（パッキン）１８等を有してもよい。
【００１６】
注出具１の１つの使用例において、ビール系飲料缶８０を開封した後に、図５、図６に示されるように、ビール系飲料缶８０の上端部に注出具１が装着されうる。その後、図７に示されるように、注ぎ口２０の第２部分２２を回動させた状態で、第１部分２１および第２部分２２のうち第１部分２１のみを通してビール系飲料が不図示の容器に注がれうる。その後、ビール系飲料缶８０を正立状態にした後、第２部分２２が非回動状態にされ、図８に示されるように、第１部分２１および第２部分２２を通してビール系飲料が不図示の容器に注がれうる。この際に、第２部分２２の中に配置された板状部材３０によってビール系飲料に細かい上質な泡が与えられうる。他の使用例においては、最初から第２部分２２を非回動状態にして、図８に示されるように、ビール系飲料が不図示の容器に注がれうる。
【００１７】
発明は上記の実施形態に制限されるものではなく、発明の要旨の範囲内で、種々の変形・変更が可能である。
【符号の説明】
【００１８】
１：注出具、１０：キャップ部、１２：通気孔、１４：取っ手、１６：天面、１８：シール部材、２０：注ぎ口、２１：第１部分、２２：第２部分、２５：ラッチ部、２８：挟持部、２９：スロット、３０：板状部材、４０：ヒンジ、８０：ビール系飲料缶、８２：開口
【図１】
2020189661.tif 000003
【図２】
2020189661.tif 000004
【図３】
2020189661.tif 000005
【図４】
2020189661.tif 000006
【図５】
2020189661.tif 000007
【図６】
2020189661.tif 000008
【図７】
2020189661.tif 000009
【図８】
2020189661.tif 000010